(57)【要約】  本開示の電子デバイスは、複数の透明発光素子が配置された透明パネル部と、透明パネル部の一部の領域の下に配置され、透明パネル部における一部の領域に接触または近接した物体を透明パネル部を介して撮像する撮像部とを備える。
2019167425.tif 000002
【特許請求の範囲】
【請求項１】
複数の透明発光素子が配置された透明パネル部と、
前記透明パネル部の一部の領域の下に配置され、前記透明パネル部における前記一部の領域に接触または近接した物体を前記透明パネル部を介して撮像する撮像部と
を備える
電子デバイス。
【請求項２】
前記撮像部は、
撮像素子と、
複数のマイクロレンズが配置され、前記複数のマイクロレンズのそれぞれによって前記物体からの光を前記撮像素子に向けて集光するマイクロレンズアレイと
を有する
請求項１に記載の電子デバイス。
【請求項３】
前記撮像部は、
前記複数のマイクロレンズのそれぞれに対応する複数の導光路を含み、前記複数のマイクロレンズのそれぞれによって集光された光を前記複数の導光路のそれぞれによって前記撮像素子に導く導光板、をさらに有する
請求項２に記載の電子デバイス。
【請求項４】
前記透明パネル部は、前記複数の透明発光素子間を隔てる格子状の構造物を有し、
前記複数のマイクロレンズは、前記物体側から見て前記格子状の構造物に重ならないように配置されている
請求項２に記載の電子デバイス。
【請求項５】
前記複数のマイクロレンズは、配置ピッチが、前記複数の透明発光素子の配置ピッチと同一となるように配置され、
前記透明パネル部は、前記撮像部による撮像を行う際に、前記一部の領域に配置された前記複数の透明発光素子のうち、前記物体側から見て、少なくとも撮像に用いられるマイクロレンズが配置された位置とは異なる位置に配置された透明発光素子を発光させる
請求項２に記載の電子デバイス。
【請求項６】
前記複数のマイクロレンズは、配置ピッチが、前記複数の透明発光素子の配置ピッチに対して２以上の整数倍となるように配置されている
請求項２に記載の電子デバイス。
【請求項７】
前記透明パネル部は、前記撮像部による撮像を行う際に、前記複数の透明発光素子のうち、前記物体側から見て、前記複数のマイクロレンズが配置された領域よりも外側の領域に配置され、前記複数のマイクロレンズのうち少なくとも撮像に用いられるマイクロレンズとは異なる位置にある透明発光素子を発光させる
請求項２に記載の電子デバイス。
【請求項８】
前記透明パネル部における前記一部の領域よりも外側に配置され、前記撮像部による撮像を行う際に照明光を発する照明光源、をさらに備えた
請求項１に記載の電子デバイス。
【請求項９】
前記物体は、生体の一部であり、
前記撮像部によって撮像することによって得られた前記生体の一部の撮像画像に基づいて、前記生体の一部の生体認証を行う認証処理部、
をさらに備える
請求項１に記載の電子デバイス。
【請求項１０】
前記生体の一部は指であり、
前記認証処理部は、前記生体認証として指紋認証を行う
請求項９に記載の電子デバイス。
【請求項１１】
前記透明パネル部は、
前記複数の透明発光素子のそれぞれに接続された発光素子用の複数の配線と、前記発光素子用の複数の配線とは別に設けられたタッチ検出用の複数の配線とのうち、少なくとも前記発光素子用の複数の配線を含み、
前記複数の透明発光素子の発光によって画像を表示する表示機能と、
前記発光素子用の複数の配線間の静電容量の値、または前記タッチ検出用の複数の配線間の静電容量の値に基づくタッチセンサ機能と
を有する
請求項１に記載の電子デバイス。
【請求項１２】
前記透明パネル部におけるタッチの状態を判定する判定部、をさらに備え、
前記透明パネル部は、
前記発光素子用の複数の配線、または前記タッチ検出用の複数の配線として、
それぞれが第１の方向に延在すると共に前記第１の方向に交差する第２の方向に配列され、それぞれが前記第１の方向において前記複数の透明発光素子に接続された複数の第１の配線と、
それぞれが前記第２の方向に延在すると共に前記第１の方向に配列され、それぞれが前記第２の方向において前記複数の透明発光素子に接続された複数の第２の配線と
を有し、
前記判定部は、
前記複数の第１の配線のうちの少なくとも１つの配線と前記複数の第２の配線のうちの少なくとも１つの配線との間の静電容量の値に基づいて、前記透明パネル部におけるタッチの状態を判定する
請求項１１に記載の電子デバイス。
【請求項１３】
前記判定部は、少なくとも１つの判定閾値に基づいて、前記透明パネル部におけるタッチの状態を判定する
請求項１２に記載の電子デバイス。
【請求項１４】
前記静電容量の値と、前記撮像部によって撮像された前記物体の撮像画像とに基づいて、前記少なくとも１つの判定閾値を算出する判定閾値演算部、をさらに備える
請求項１３に記載の電子デバイス。
【請求項１５】
前記判定部は、前記タッチの状態として、少なくとも、タッチの有無とタッチの強度とを判定し、
前記判定閾値演算部は、前記少なくとも１つの判定閾値として、少なくとも、前記タッチの有無の判定に用いられる第１の判定閾値と、前記タッチの強度の判定に用いられる第２の判定閾値とを算出する
請求項１４に記載の電子デバイス。
【請求項１６】
前記透明パネル部は、
前記複数の透明発光素子のそれぞれに接続された発光素子用の複数の配線と、前記発光素子用の複数の配線とは別に設けられたタッチ検出用の複数の配線とのうち、少なくとも前記発光素子用の複数の配線を含み、
前記複数の透明発光素子の発光によって画像を表示する表示機能と、
前記発光素子用の複数の配線間の静電容量の値、または前記タッチ検出用の複数の配線間の静電容量の値に基づくタッチセンサ機能と
を有し、
前記認証処理部の認証結果に基づいて、前記透明パネル部におけるタッチ検出の制御パラメータを制御する制御部、をさらに備える
請求項９に記載の電子デバイス。
【請求項１７】
前記制御部は、前記認証処理部による生体認証の対象となる複数のユーザと、前記複数のユーザのそれぞれによる前記透明パネル部におけるタッチの操作速度の統計量とを関連付けた操作速度に関するデータベースに基づいて、前記認証処理部によって認証されたユーザのタッチの操作速度の統計量を取得し、取得した前記タッチの操作速度の統計量に基づいて、前記制御パラメータとして、前記認証されたユーザに最適化されたタッチ検出の動作間隔を算出する
請求項１６に記載の電子デバイス。
【請求項１８】
前記操作速度に関するデータベースを記憶する記憶部、をさらに備える
請求項１７に記載の電子デバイス。
【請求項１９】
前記透明パネル部における前記一部の領域とは異なる領域の下に配置された意匠材、をさらに備える
請求項１に記載の電子デバイス。
【請求項２０】
前記透明発光素子は、透明有機ＥＬ素子または量子ドット発光素子である
請求項１に記載の電子デバイス。
【発明の詳細な説明】
【技術分野】
【０００１】
本開示は、撮像機能を有する電子デバイスに関する。
【背景技術】
【０００２】
生体に固有な情報である生体情報を利用した個人認証を行う装置が開発されている（特許文献１参照）。生体認証を行う装置としては、例えば、指の表面を撮像することによって指紋認証を行う指紋センサデバイスがある。一方、近年では、例えばリストバンド型の小型の電子デバイスが開発されている。
【先行技術文献】
【特許文献】
【０００３】
【特許文献１】特開２０１７−１９６３１９号公報
【発明の概要】
【０００４】
小型の電子デバイスでは、表示機能や撮像機能等、複数の機能を実装することへの要求があるが、表面積が限られているため、所望の機能を実装することが困難となる場合がある。また、指紋認証機能を実装する場合、小型の電子デバイスでは、指紋センサデバイスにとって最適な位置に指を導くことが困難となる場合がある。
【０００５】
複数の機能を小型で実現し得る電子デバイスを提供することが望ましい。
【０００６】
本開示の一実施の形態に係る電子デバイスは、複数の透明発光素子が配置された透明パネル部と、透明パネル部の一部の領域の下に配置され、透明パネル部における一部の領域に接触または近接した物体を透明パネル部を介して撮像する撮像部とを備えるものである。
【０００７】
本開示の一実施の形態に係る電子デバイスでは、透明パネル部の一部の領域の下に配置された撮像部によって、透明パネル部における一部の領域に接触または近接した物体が撮像される。
【図面の簡単な説明】
【０００８】
【図１】本開示の第１の実施の形態に係る電子デバイスの一構成例を概略的に示す外観図である。
【図２】第１の実施の形態に係る電子デバイスにおける透明パネル部の表示例を示す説明図である。
【図３】第１の実施の形態に係る電子デバイスの要部構造を示す構成図である。
【図４】第１の実施の形態に係る電子デバイスの要部構造を示す断面図である。
【図５】第１の実施の形態に係る電子デバイスにおける撮像部の詳細構成例を示す分解斜視図である。
【図６】第１の実施の形態に係る電子デバイスにおける撮像部のマイクロレンズによる撮像領域の一例を示す断面図である。
【図７】第１の実施の形態に係る電子デバイスにおける透明パネル部の構造と撮像部のマイクロレンズの配置位置と関係の一例を示す平面図である。
【図８】第１の実施の形態に係る電子デバイスにおける撮像部の撮像素子上に形成される物体像を模式的に示す平面図である。
【図９】第１の実施の形態に係る電子デバイスにおける撮像部による撮像画像と撮像画像に基づく合成処理後画像の一例を示す説明図である。
【図１０】第１の実施の形態に係る電子デバイスにおける透明パネル部の構造と撮像部のマイクロレンズの配置位置との第１の変形例を示す平面図である。
【図１１】第１の実施の形態に係る電子デバイスにおける透明パネル部の構造と撮像部のマイクロレンズの配置位置との関係の第２の変形例と、撮像時の透明パネル部の発光状態の一例を示す平面図である。
【図１２】第１の実施の形態に係る電子デバイスにおける透明パネル部の構造と撮像部のマイクロレンズの配置位置との関係の第３の変形例と、撮像時の透明パネル部の発光状態の一例を示す平面図である。
【図１３】第１の実施の形態に係る電子デバイスにおける透明パネル部の配線構造の一例を示す平面図である。
【図１４】第１の実施の形態に係る電子デバイスにおける透明パネル部における配線を用いたタッチセンサ機能の実装例を示す平面図である。
【図１５】第１の実施の形態に係る電子デバイスの制御系の構成例を示すブロック図である。
【図１６】第１の実施の形態に係る電子デバイスにおけるタッチ状態の判定閾値の概要を示す説明図である。
【図１７】第１の実施の形態に係る電子デバイスにおけるタッチ状態の判定閾値を算出する処理の概要を示す流れ図である。
【図１８】第１の実施の形態に係る電子デバイスにおけるタッチセンサ上でのユーザの操作の一例を示す説明図である。
【図１９】第１の実施の形態に係る電子デバイスにおけるタッチセンサで検出される静電容量の値の時間変化の第１の例を示す特性図である。
【図２０】第１の実施の形態に係る電子デバイスにおけるタッチセンサで検出される静電容量の値の時間変化の第２の例を示す特性図である。
【図２１】第１の実施の形態に係る電子デバイスにおけるタッチセンサの動作間隔を補正する処理の概要を示す流れ図である。
【図２２】第１の実施の形態に係る電子デバイスにおけるユーザの操作速度に関するデータベースの一例を示す説明図である。
【図２３】第２の実施の形態に係る電子デバイスの要部構造を示す構成図である。
【図２４】第２の実施の形態に係る電子デバイスの要部構造を示す断面図である。
【図２５】第３の実施の形態に係る電子デバイスの要部構造を示す構成図である。
【発明を実施するための形態】
【０００９】
以下、本開示の実施の形態について図面を参照して詳細に説明する。なお、説明は以下の順序で行う。
【００１０】
１．第１の実施の形態（図１〜図２２）
１．１  電子デバイスの概要
１．２  タッチセンサのキャリブレーション
１．２．１  電子デバイスの制御系の構成例
１．２．２  タッチ状態の判定閾値のキャリブレーション
１．２．３  タッチセンサの動作間隔のキャリブレーション
１．３  効果
２．第２の実施の形態（図２３〜図２４）
３．第３の実施の形態（図２５）
４．その他の実施の形態
【００１１】
＜１．第１の実施の形態＞
［１．１  電子デバイスの概要］
本開示の技術による電子デバイスは、各種の情報端末等に適用可能であるが、本実施の形態では、一例として、本開示の技術をリストバンド型の電子デバイスに適用した例を説明する。
【００１２】
（電子デバイス１の全体構成）
図１は、本開示の第１の実施の形態に係る電子デバイス１の一構成例を概略的に示している。
【００１３】
電子デバイス１は、リング状のリストバンド本体２と、リストバンド本体２の一部に設けられた透明パネル部１０および撮像部２０と、透明パネル部１０の上面に設けられたカバーガラス３とを備えている。カバーガラス３および透明パネル部１０のパネル部有効領域１１は、全体として透明であってもよい。
【００１４】
透明パネル部１０は、後述する図７に示すようにマトリクス状に配置された複数の透明発光素子１６と、複数の透明発光素子１６のそれぞれに接続された発光素子用の複数の配線と、複数の透明発光素子１６間を隔てる格子状の構造物７０とを有している。透明発光素子１６は、例えば透明有機ＥＬ（Electro Luminescence）素子（透明ＯＬＥＤ（Organic Light Emitting Diode））で構成されている。または、透明発光素子１６が量子ドット発光素子であってもよい。
【００１５】
透明パネル部１０は、複数の透明発光素子１６の発光によって、パネル部有効領域１１に画像を表示する表示パネルとしての機能を有している。また、透明パネル部１０は、例えば発光素子用の複数の配線間の静電容量の値に基づいて指等の物体によるタッチ状態を検出するタッチセンサとしての機能を有している。
【００１６】
撮像部２０は、透明パネル部１０の一部の領域の下に配置されている。撮像部２０は、透明パネル部１０における一部の領域に接触または近接した物体を透明パネル部１０を介して撮像する機能を有している。撮像部２０によって撮像する物体は、例えば生体の一部であってもよい。撮像部２０は、生体の一部を撮像することによって得られた生体の一部の撮像画像に基づいて、生体の一部の生体認証を行う生体認証デバイスの機能を有していてもよい。撮像部２０における生体認証デバイスとしての機能によって、例えば指紋センサを構成することができる。
【００１７】
図２は、電子デバイス１における透明パネル部１０の表示例を示している。
透明パネル部１０は、例えば図２に示したように各種の情報表示を行うパネル部有効領域１１を有している。各種の情報表示は、各種の図形や各種の文字情報であってもよい。透明パネル部１０は、例えば図２に示したように、撮像部２０を指紋センサとして利用する場合に「本人認証」を行うことを示すメッセージや、撮像部２０に相当する位置に指を載置することを促す情報表示等を表示する。
【００１８】
（電子デバイス１の要部構造）
図３および図４は、電子デバイス１の要部構造を示している。図３は、電子デバイス１を上側（撮像される物体側）から見た透明パネル部１０付近の構造を示している。図４は、図１、および図３におけるＡ−Ａ線部分の断面に相当する。図５は、撮像部２０の詳細構成例を示している。
【００１９】
透明パネル部１０は、図３および図４に示したように、パネル部有効領域１１と、パネル部外枠１２と、パネルドライバ１３とを有している。電子デバイス１は、透明パネル部１０に接続されたタッチ判定部１４および発光制御部１５、をさらに備えている。
【００２０】
パネル部有効領域１１内には、後述する図７に示すようにマトリクス状に配置された複数の透明発光素子１６が配置されている。
【００２１】
タッチ判定部１４は、透明パネル部１０をタッチセンサとして使用する場合において、タッチの状態を判定する。発光制御部１５は、パネルドライバ１３を介して複数の透明発光素子１６の発光制御を行う。
【００２２】
撮像部２０は、図３および図４に示したように、マイクロレンズアレイモジュール２１と、撮像部外枠２２と、撮像素子３０と、基板３１とを有している。マイクロレンズアレイモジュール２１は、上側から見て透明パネル部１０のパネル部有効領域１１内に配置されている。電子デバイス１は、撮像素子３０に接続された撮像処理部３２と、撮像処理部３２に接続された認証処理部３３とを、さらに備えている。
【００２３】
撮像素子３０は、例えばＣＭＯＳ（Complementary Metal Oxide Semiconductor）センサで構成されている。撮像素子３０は、基板３１上に配置されている。
【００２４】
撮像処理部３２は、撮像素子３０によって得られた撮像画像に対して所定の画像処理を行う。認証処理部３３は、撮像処理部３２による画像処理後の撮像画像に基づいて生体認証を行う。認証処理部３３は、例えば、撮像部２０を指紋センサとして使用した場合において、指紋認証の処理を行う。認証処理部３３は、指紋認証の処理として、例えば指紋パターンの認証を行う。指紋パターンの認証の際には、例えば指紋の特徴量として、マニューシャ（指紋の端点や分岐点）を用いてもよい。また、認証処理部３３は、生体認証として、指紋ではなく、汗腺または静脈等の特徴量の認証を行ってもよい。また、指紋、汗腺および静脈等の複数の特徴量のうち、２つ以上の特徴量を組み合わせた認証を行ってもよい。
【００２５】
マイクロレンズアレイモジュール２１は、図４および図５に示したように、撮像素子３０と透明パネル部１０のパネル部有効領域１１との間に配置されている。マイクロレンズアレイモジュール２１は、上側から順に、カバーガラス兼導光板６０と、マイクロレンズアレイ５０と、導光板４０とを有している。
【００２６】
マイクロレンズアレイ５０は、図５に示したように、マトリクス状に配置された複数のマイクロレンズ５１を有している。マイクロレンズアレイ５０は、複数のマイクロレンズ５１のそれぞれによって指等の物体からの物体光を撮像素子３０に向けて集光する。
【００２７】
カバーガラス兼導光板６０は、マイクロレンズアレイ５０の表面を保護する役割を持つ。また、カバーガラス兼導光板６０は、透明パネル部１０のパネル部有効領域１１を透過した物体光を、複数のマイクロレンズ５１のそれぞれに導く役割を持つ。カバーガラス兼導光板６０は、複数のマイクロレンズ５１のそれぞれに対応する位置に設けられた複数の導光路を有している。
【００２８】
導光板４０は、図４および図５に示したように、複数の導光路４１を有している。複数の導光路４１は、複数のマイクロレンズ５１のそれぞれに対応する位置に設けられ、複数のマイクロレンズ５１のそれぞれによって集光された光を撮像素子３０に導くようになっている。
【００２９】
図６は、撮像部２０のマイクロレンズ５１による撮像領域の一例を示している。図７は、透明パネル部１０の構造と撮像部２０のマイクロレンズ５１の配置位置との関係の一例を示している。図８は、撮像部２０の撮像素子３０上に形成される物体像３４を模式的に示している。図９は、撮像部２０による撮像画像３５と撮像画像３５に基づく合成処理後画像３６の一例を示している。
【００３０】
透明パネル部１０は、図７に示したように、マトリクス状に配置された複数の透明発光素子１６のそれぞれに接続された発光素子用の複数の配線と複数の透明発光素子１６間を隔てる格子状の構造物７０とを有している。撮像部２０において、複数のマイクロレンズ５１は、撮像画像に格子状の構造物７０が映り込まないよう、上側（物体側）から見て格子状の構造物７０に重ならないように配置されていることが望ましい。複数のマイクロレンズ５１は、配置ピッチｐ２が、複数の透明発光素子１６の配置ピッチｐ１と略同じとなるように配置されていてもよい。
【００３１】
撮像部２０の撮像素子３０上には、図８に示したように、複数のマイクロレンズ５１の配置ピッチｐ２に応じた複数の部分像が物体像３４として形成される。このため、図９に示したように、撮像画像３５としては、複数の部分画像が形成される。撮像処理部３２では、図９に示したように、撮像画像３５における複数の部分画像を合成処理して合成処理後画像３６を生成する。これにより、物体の全体画像を生成する。
【００３２】
撮像部２０は、撮像対象の物体（指９０）に対する、隣り合う複数のマイクロレンズ５１同士の撮像領域（光の取り込み範囲）が、図６に示したように、部分的に重なり合うように構成されていることが好ましい。これにより、撮像画像３５としては、周辺部が部分的に重複する複数の部分画像が形成されるので、図９に示したように合成処理する場合に、繋ぎ目の目立たないシームレスな全体画像を生成することができる。
【００３３】
図１０は、透明パネル部１０の構造と撮像部２０のマイクロレンズ５１の配置位置との第１の変形例を示している。
【００３４】
図７に示したように、複数のマイクロレンズ５１は、撮像画像に格子状の構造物７０が映り込まないよう、上側（物体側）から見て格子状の構造物７０に重ならないように配置されていることが望ましい。しかしながら、製造上の位置ずれ等により、図１０に示したように、上側（物体側）から見てマイクロレンズ５１が格子状の構造物７０に重なってしまい、撮像画像に格子状の構造物７０が映り込んでしまう場合があり得る。この場合、撮像処理部３２において、映り込んだ格子状の構造物７０の像を消去するような画像処理を行うことが望ましい。これにより、認証処理部３３における生体認証の精度を向上させることができる。ただし、映り込んだ格子状の構造物７０の像を消去するような画像処理を行うことなく、格子状の構造物７０の像が映り込んだままの撮像画像に基づいて生体認証の処理を行うようにしてもよい。この場合、例えば格子状の構造物７０の像が映り込んだままの撮像画像に対して、統計的な手法を用いた生体認証の処理を行うことによって、生体認証の精度を向上させることができる。この場合、統計的な生体認証の処理に用いるデータを、外部のサーバ等に格納されたデータベース等から取得してもよい。
【００３５】
（撮像時の照明について）
撮像部２０による撮像を行う際には、透明パネル部１０を部分的に発光させることで、撮像用の照明光として利用してもよい。物体側（上側）から見て、透明発光素子１６とマイクロレンズ５１とが、図７のように配置されている場合、透明パネル部１０は、撮像部２０による撮像を行う際に、撮像部２０に対応する一部の領域に配置された複数の透明発光素子１６のうち、物体側から見て、少なくとも撮像に用いられるマイクロレンズ１６が配置された位置とは異なる位置に配置された透明発光素子１６を照明用に発光させる。
【００３６】
図１１は、透明パネル部１０の構造と撮像部２０のマイクロレンズ５１の配置位置との関係の第２の変形例を示している。また、図１１は、撮像時の透明パネル部１１の発光状態の一例を示している。
【００３７】
複数のマイクロレンズ５１は、配置ピッチｐ２が、複数の透明発光素子１６の配置ピッチｐ１よりも大きくなるように配置されていてもよい。図１１では、複数のマイクロレンズ５１は、配置ピッチｐ２が、複数の透明発光素子１６の配置ピッチｐ１に対して２倍となるように配置されている。ただし、複数のマイクロレンズ５１の配置ピッチｐ２が、複数の透明発光素子１６の配置ピッチｐ１に対して２倍より大きい整数倍となるように配置されていてもよい。この場合、透明パネル部１０は、撮像部２０による撮像を行う際に、撮像部２０に対応する一部の領域に配置された複数の透明発光素子１６のうち、物体側から見て、少なくとも撮像に用いられるマイクロレンズ１６が配置された位置とは異なる位置に配置された透明発光素子１６を照明用に発光させるようにしてもよい。
【００３８】
図１２は、透明パネル部１０の構造と撮像部２０のマイクロレンズ５１の配置位置との関係の第３の変形例を示している。また、図１２は、撮像時の透明パネル部１１の発光状態の一例を示している。
【００３９】
透明パネル部１０には、物体側から見て、図１２に示したように、複数のマイクロレンズ１６が配置された領域よりも外側の領域に、照明用のセグメント構造の透明発光素子１７が配置されていてもよい。この場合、透明パネル部１０は、撮像部２０による撮像を行う際に、複数のマイクロレンズ１６のうち少なくとも撮像に用いられるマイクロレンズ１６とは異なる位置にある照明用のセグメント構造の透明発光素子１７を発光させるようにしてもよい。
【００４０】
（タッチセンサの構成例）
図１３は、透明パネル部１０の配線構造の一例を示している。図１４は、透明パネル部１０における配線を用いたタッチセンサ機能の実装例を示している。
【００４１】
図１３に示したように、透明パネル部１０は、発光素子用の複数の配線として、例えば、共通の駆動信号が供給される複数のコモンライン７１と、それぞれに個別の駆動信号が供給される複数のセグメントライン７２とを有している。
【００４２】
複数のコモンライン７１は、それぞれが第１の方向に延在すると共に第１の方向に交差する第２の方向に配列され、それぞれが第１の方向において複数の透明発光素子１６に接続されている。なお、図１３において、第１の方向は横方向（左右方向、Ｘ方向に平行な方向）、第２の方向は縦方向（上下方向、Ｙ方向に平行な方向）である。
【００４３】
複数のセグメントライン７２は、それぞれが第２の方向に延在すると共に第１の方向に配列され、それぞれが第２の方向において複数の透明発光素子１６に接続されている。複数のセグメントライン７２の一端または他端は、横方向に交互に右上側または右下側に延在するように引き出されている。
【００４４】
このような配線構造において、例えば、複数のセグメントライン７２を左右に略２分割し、略２分割した左側の複数のセグメントライン７２の一方の端部側に第１の電極部（ＰＡＤ１）を接続してもよい。また、略２分割した右側の複数のコモンライン７１の一方の端部側に第２の電極部（ＰＡＤ２）を接続してもよい。
【００４５】
また、例えば、例えば複数のコモンライン７１を上下に略２分割し、略２分割した上側の複数のコモンライン７１の一方の端部側に第３の電極部（ＰＡＤ３）を接続してもよい。また、略２分割した下側の複数のコモンライン７１の一方の端部側に第４の電極部（ＰＡＤ４）を接続してもよい。
【００４６】
これにより、図１４に示したように、横方向に２つ、縦方向に２つ、上下左右に合計４つ（４チャンネル）のセンサ領域を形成することができる。すなわち、第１の電極部（ＰＡＤ１）および第３の電極部（ＰＡＤ３）によるセンサ領域と、第１の電極部（ＰＡＤ１）および第４の電極部（ＰＡＤ４）によるセンサ領域と、第２の電極部（ＰＡＤ２）および第３の電極部（ＰＡＤ３）によるセンサ領域と、第２の電極部（ＰＡＤ２）および第４の電極部（ＰＡＤ４）によるセンサ領域とを形成することができる。
【００４７】
コモンライン７１は、本開示における「第１の配線」の一具体例に相当する。セグメントライン７２は、本開示における「第２の配線」の一具体例に相当する。タッチ判定部１４は、複数の第１の配線のうちの少なくとも１つの配線と複数の第２の配線のうちの少なくとも１つの配線との間の静電容量の値に基づいて、透明パネル部１０におけるタッチの状態を判定することができる。例えば、図１４の例では、第１の電極部（ＰＡＤ１）に対応する複数のセグメントライン７２と第３の電極部（ＰＡＤ３）に対応する複数のコモンライン７１との間の静電容量の値に基づいて、上下左右の４つのセンサ領域のうち、左上側のセンサ領域におけるタッチの状態を判定することができる。
【００４８】
なお、センサ領域の分割数は、４つに限らず、３つ以下、または５つ以上の分割数であってもよい。また、センサ領域を分割する方向は、２方向に限らず、１方向のみであってもよい。例えば、後述する図１８に示すように、横方向に４つ（４チャンネル）のセンサ領域を有する構造であってもよい。また、以上の説明では、複数のコモンライン７１、および複数のセグメントライン７２が、発光素子用の配線とタッチ検出用の配線とを兼ねる場合を例に説明したが、複数のコモンライン７１、および複数のセグメントライン７２を、発光素子用の配線とは別のタッチ検出用の配線として設けるようにしてもよい。この場合、単一の透明パネル部１０の内部に、発光素子用の複数の配線とタッチ検出用の複数の配線とを設けるようにしてもよいし、透明パネル部１０を発光素子用の複数の配線を有する発光用（表示用）のパネルと、タッチ検出用の複数の配線を有するタッチ検出用のパネルとを重ねた構造にしてもよい。
【００４９】
［１．２  タッチセンサのキャリブレーション］
次に、電子デバイス１におけるタッチセンサ（透明パネル部１０）のキャリブレーションについて説明する。透明パネル部１０をタッチセンサとして使用する場合において、良好なセンシングを行うために、タッチ状態の判定閾値のキャリブレーション（補正）、およびタッチセンサの動作間隔のキャリブレーションを行うことが望ましい。
【００５０】
［１．２．１  電子デバイスの制御系の構成例］
図１５は、タッチセンサのキャリブレーションを行うための電子デバイス１の制御系の構成例を示している。
【００５１】
電子デバイス１は、タッチセンサとしての透明パネル部１０と、指紋センサとしての撮像部２０と、ＣＰＵ（Central Processing Unit）１１０と、記憶部１１３と、通信部１１４とを備えている。
【００５２】
ＣＰＵ１１０は、制御部１１１としての機能と、判定部１１２としての機能とを有している。ただし、制御部１１１の機能と判定部１１２の機能は、ＣＰＵ１１０が実行するプログラム（ソフトウェア）として実現してもよいし、透明パネル部１０および撮像部２０の少なくとも一方に内蔵された機能として実現してもよい。
【００５３】
また、ＣＰＵ１１０は、上述のタッチ判定部１４、および発光制御部１５（図３）の機能と、撮像処理部３２、および認証処理部３３の機能とを有していてもよい。判定部１１２は、タッチ判定部１４の機能を含んでいてもよい。
【００５４】
通信部１１４は、無線または有線のネットワークを介してサーバ１１５との間でのデータ通信を行う。
【００５５】
以下、図１５に示した制御系の構成を用いて、タッチ検出の制御パラメータを制御する方法を説明する。タッチ検出の制御パラメータとしては、例えば、タッチ状態の判定閾値やタッチセンサの動作間隔がある。以下では、制御パラメータの制御の一例として、タッチ状態の判定閾値のキャリブレーション、およびタッチセンサの動作間隔のキャリブレーションを実現するための方法を説明する。
【００５６】
［１．２．２  タッチ状態の判定閾値のキャリブレーション］
まず、撮像部２０の指紋センサとしての機能を利用して、タッチ状態の判定閾値のキャリブレーションを行う方法について説明する。
【００５７】
タッチセンサで観測される静電容量は、タッチしたときに触れている面積が大きいほど大きな値が観測される。またタッチセンサで観測される静電容量は、触れる人や環境により値が変化することがある。このような人によるバラつきや環境によるバラつきの影響を無くして精度よくタッチ状態を判定するためには、適切な補正（キャリブレーション）が必要となる。
【００５８】
図１６は、電子デバイス１におけるタッチ状態の判定閾値の概要を示している。図１６では、指紋センサとタッチセンサとを組み合わせることで、タッチ状態判定のための閾値を決定する方法を示している。図１６の上側は、タッチセンサで観測される静電容量（縦軸）と、指９０とタッチセンサのセンサ表面９１との距離（横軸）との関係を示している。図１６の下側は、指９０とタッチセンサのセンサ表面９１との距離に対応した指紋センサの撮影画像を示している。
【００５９】
図１６で示したように、指紋センサで撮影された指紋画像のサイズ（面積）とタッチセンサで観測された静電容量の値との関係から、タッチの有無（閾値Ａ）やタッチの強さ（閾値Ｂ）を判定する静電容量の値の閾値を決定することができる。
【００６０】
図１５に示した制御系の構成において、判定部１１２は、少なくとも１つの判定閾値に基づいて、タッチセンサにおけるタッチの状態を判定する。また、判定部１１２は、タッチの状態として、少なくとも、タッチの有無とタッチの強度とを判定する。
【００６１】
制御部１１１は、タッチセンサにおける静電容量の値と、撮像部２０によって撮像された物体の撮像画像（指紋センサで撮影された指紋画像）とに基づいて、少なくとも１つの判定閾値を算出する判定閾値演算部としての機能を有している。判定閾値演算部は、少なくとも１つの判定閾値として、少なくとも、タッチの有無の判定に用いられる第１の判定閾値（図１６の閾値Ａ）と、タッチの強度の判定に用いられる第２の判定閾値（図１６の閾値Ｂ）とを算出する。
【００６２】
なお、タッチ状態の判定閾値のキャリブレーションを行うための制御部１１１および判定部１１２の機能の一部または全部を、透明パネル部１０および撮像部２０の少なくとも一方に内蔵された機能として実現してもよい。
【００６３】
算出された判定閾値などのパラメータ情報は、記憶部１１３に格納してもよいし、通信部１１４によってサーバ１２０に格納してもよい。
【００６４】
図１７は、電子デバイス１におけるタッチ状態の判定閾値を算出する処理の概要を示している。
【００６５】
電子デバイス１では、タッチセンサで静電容量の値を取得し（ステップＳ１０１）、同時に指紋センサで指紋画像を撮影する（ステップＳ１０２）。
【００６６】
次に、電子デバイス１は、撮影画像のパターンを判定する（ステップＳ１０３）。これにより、撮影した指９０の画像サイズよりタッチの状態を推測する。例えば、電子デバイス１は、ステップＳ１０３において、「指紋画像無し」と判定した場合には、タッチしていない状態と判定する（ステップＳ１０４）。また、電子デバイス１は、ステップＳ１０３において、「指紋画像のサイズ小」と判定した場合には、軽いタッチの状態と判定する（ステップＳ１０５）。また、電子デバイス１は、ステップＳ１０３において、「指紋画像のサイズ大」と判定した場合には、強いタッチの状態と判定する（ステップＳ１０６）。
【００６７】
次に、電子デバイス１は、タッチ状態の判定閾値を決定するのに必要なデータが取得できたか否かを判定する（ステップＳ１０７）。電子デバイス１は、必要なデータが取得できていないと判定した場合（ステップＳ１０７；Ｎ）には、ステップＳ１０１の処理に戻る。
【００６８】
以上のようにして必要なデータを取得する処理を繰り返すことによって、必要なデータが取得できたと判定した場合（ステップＳ１０７；Ｙ）には、電子デバイス１は、次に、タッチセンサの静電容量の値とタッチの状態との関係性のデータに基づいて、タッチ状態の判定閾値を演算（ステップＳ１０８）し、処理を終了する。
【００６９】
以上のタッチ状態の判定閾値を決定する処理は、例えばユーザが指紋認証をする際の指９０をタッチセンサに近づける過程で指９０とタッチセンサの距離とタッチセンサの静電容量の値との関係を連続的に繰り返し取得することで実現できる。
【００７０】
［１．２．３  タッチセンサの動作間隔のキャリブレーション］
ここでは、撮像部２０の指紋センサとしての機能を利用して、タッチセンサの動作間隔のキャリブレーションを行う方法について説明する。
【００７１】
タッチセンサでの操作において、指９０の移動速度やタッチ時に触れる時間は、ユーザ毎にバラつきがある。特に速い操作に対してはタッチ検出の動作間隔が長いとデータの取りこぼしが発生し誤動作を招く。
【００７２】
まず、データの取りこぼし発生の様子を説明する。ここでは、タッチセンサのセンサｃｈ（チャンネル）が、ｃｈ１，ｃｈ２，ｃｈ３，ｃｈ４の４つあるものとして説明する。
【００７３】
図１８は、電子デバイス１におけるタッチセンサ上でのユーザの操作の一例を示している。図１９は、電子デバイス１におけるタッチセンサで検出される静電容量の値の時間変化の第１の例を示している。図２０は、電子デバイス１におけるタッチセンサで検出される静電容量の値の時間変化の第２の例を示している。
【００７４】
図１８のように、４ｃｈのタッチセンサ上で指９０を横にスライドさせたとする。このときタッチセンサで検出される静電容量の値の時間変化の一例を図１９、および図２０に示す。図１９は、タッチセンサの動作間隔が８ｍｓｅｃのときのグラフであり、指９０の移動と共に各ｃｈでの静電容量の値のピークが順次移動している様子が確認できる。
【００７５】
一方、図２０は、タッチセンサの動作間隔が３０ｍｓｅｃのときのグラフである。動作間隔が３０ｍｓｅｃの場合、センサチャンネルｃｈ３のピークが確認できなくなっている。これは、タッチセンサの動作間隔が長く時間解像度が低いため、指９０がセンサチャンネルｃｈ３を通過したときにデータを取りこぼしてしまったため発生する。
【００７６】
データの取りこぼしは、タッチセンサの動作間隔を短くすることで防げるが、消費電力が上がってしまう。そのためデータの取りこぼしが発生しないように操作速度に最適な動作間隔を設定することが望ましい。
【００７７】
そこで、指紋センサとタッチセンサとを組み合わせ、指紋センサでユーザを特定し、そのユーザの操作履歴（操作の速度の統計データ）に基づいて、最適なタッチセンサの動作間隔を求める方法を説明する。
【００７８】
図１５に示した制御系の構成において、制御部１１１は、認証処理部３３（図３）の認証結果に基づいて、タッチセンサにおけるタッチ検出の動作間隔を制御する。
【００７９】
制御部１１１は、認証処理部３３（図３）による生体認証の対象となる複数のユーザと、複数のユーザのそれぞれによるタッチセンサにおけるタッチの操作速度の統計量とを関連付けた操作速度に関するデータベースに基づいて、認証処理部３３によって認証されたユーザのタッチの操作速度の統計量を取得する。制御部１１１は、取得したタッチの操作速度の統計量に基づいて、認証されたユーザに最適化されたタッチ検出の動作間隔を算出する。
【００８０】
操作速度を含むユーザ毎のパラメータ情報や、操作速度に関するデータベースは記憶部１１３に格納されていてもよいし、通信部１１４によってサーバ１２０から取得してもよい。
【００８１】
なお、タッチセンサの動作間隔のキャリブレーションを行うための制御部１１１の機能の一部または全部を、透明パネル部１０および撮像部２０の少なくとも一方に内蔵された機能として実現してもよい。
【００８２】
図２１は、電子デバイス１におけるタッチセンサの動作間隔を補正する処理の概要を示している。
【００８３】
電子デバイス１は、まず、指紋認証を行い（ステップＳ２０１）、ユーザの指紋パターンを特定する（ステップＳ２０２）。次に、電子デバイス１は、特定した指紋パターンに対応する操作速度に関する統計量をデータベースから読み出して取得する（ステップＳ２０３，Ｓ２０４，Ｓ２０５）。なお、図２１では、説明上、指紋パターンをパターンＡ，Ｂ，Ｃの３つから選択する場合の動作例を示しているが、選択対象の指紋パターンの数は３つに限定されず、任意の数であってもよい。次に、電子デバイス１は、取得した統計量に基づいて、ユーザにとって最適なタッチセンサの動作間隔を演算する（ステップＳ２０６）。次に、電子デバイス１は、タッチセンサの動作間隔を演算した値に変更（ステップＳ２０７）して、処理を終了する。
【００８４】
図２２は、ユーザの操作履歴から作成した、電子デバイス１におけるユーザの操作速度に関する統計量のデータベースの一例を示している。図２２には、タッチセンサの動作間隔を演算するための操作速度のパラメータの一例として、指９０を横に移動させる速度を示すスライド速度と、指９０をタッチして離すまでの速度を示すタッチ速度とを挙げている。
【００８５】
なお、図２２には、指紋パターンがパターンＡ，Ｂ，Ｃの３つである場合の例を示しているが、データベースに登録される指紋パターンの数は３つに限定されず、任意の数であってよい。
【００８６】
［１．３  効果］
以上のように、本実施の形態によれば、透明パネル部１０の一部の領域の下に、透明パネル部１０における一部の領域に接触または近接した物体（指９０）を透明パネル部１０を介して撮像する撮像部２０を配置するようにしたので、複数の機能を小型で実現し得る。例えば、透明パネル部１０によって、表示機能、およびタッチセンサ機能を実現すると共に、撮像部２０によって指紋認証のための撮像機能を実現し得る。
【００８７】
なお、本明細書に記載された効果はあくまでも例示であって限定されるものではなく、また他の効果があってもよい。以降の他の実施の形態の効果についても同様である。
【００８８】
＜２．第２の実施の形態＞
次に、本開示の第２の実施の形態に係る電子デバイスについて説明する。なお、以下では、上記第１の実施の形態に係る電子デバイスの構成要素と略同じ部分については、同一符号を付し、適宜説明を省略する。
【００８９】
図２３および図２４は、本開示の第２の実施の形態に係る電子デバイス１Ａの要部構造を示している。図２３は、電子デバイス１Ａを上側（撮像される物体側）から見た透明パネル部１０付近の構造を示している。図２４は、図２３におけるＡ−Ａ線部分の断面に相当する。
【００９０】
上記第１の実施の形態では、撮像部２０による撮像を行う際に、透明パネル部１０を部分的に発光させて撮像用の照明光として利用する例（図１１、図１２参照）を挙げたが、図２３および図２４に示したように、撮像用の照明光源８０を別途設けるようにしてもよい。
【００９１】
照明光源８０は、例えばＬＥＤ（Light Emitting Diode）であってもよい。照明光源８０は、透明パネル部１０における一部の領域（撮像部２０に対応する領域）よりも外側に配置されている。照明光源８０は、例えば透明パネル部１０の上側のカバーガラス３の少なくとも１つの側面に配置してもよい。これにより、カバーガラス３によって照明光源８０からの光を撮像部２０に向けて導光するようにしてもよい。図２３および図２４の構成例では、カバーガラス３における対向する２つの側面に照明光源８０を配置している。これにより、撮像部２０による撮像を行う際に、照明光源８０によって照明光を発するようにしてもよい。また、照明光源８０と透明パネル部１０による部分的な発光とを併用するようにしてもよい。
【００９２】
その他の構成、動作および効果は、上記第１の実施の形態に係る電子デバイス１と略同様であってもよい。
【００９３】
＜３．第３の実施の形態＞
次に、本開示の第３の実施の形態に係る電子デバイスについて説明する。なお、以下では、上記第１または第２の実施の形態に係る電子デバイスの構成要素と略同じ部分については、同一符号を付し、適宜説明を省略する。
【００９４】
図２５は、第３の実施の形態に係る電子デバイス１Ｂの要部構造を示している。図２５は、電子デバイス１Ｂを上側（撮像される物体側）から見た透明パネル部１０付近の構造を示している。
【００９５】
透明パネル部１０のパネル部有効領域１１は全体として透明であるため、透明パネル部１０が非発光の状態では、パネル部有効領域１１の下側の構造が見える場合がある。このため、透明パネル部１０の下側に、図２５に示したように、意匠材１８を配置してもよい。意匠材１８は、例えば木目調や任意の模様であってもよい。これにより、デザイン性を向上させることができる。
【００９６】
意匠材１８は、撮像部２０による物体の撮像に影響を与えないよう、図２５に示したように、上側から見て透明パネル部１０における一部の領域（撮像部２０に対応する領域）とは異なる領域の下に配置されていることが望ましい。また、意匠材１８は、上側から見て、撮像部２０に対応する領域を除く、少なくともパネル部有効領域１１に対応する領域の下に配置されていることが望ましい。
【００９７】
その他の構成、動作および効果は、上記第１の実施の形態に係る電子デバイス１と略同様であってもよい。
【００９８】
＜４．その他の実施の形態＞
本開示による技術は、上記各実施の形態の説明に限定されず種々の変形実施が可能である。
【００９９】
例えば、本技術は以下のような構成を取ることもできる。
以下の構成の本技術によれば、透明パネル部の一部の領域の下に、透明パネル部における一部の領域に接触または近接した物体を透明パネル部を介して撮像する撮像部を配置するようにしたので、複数の機能を小型で実現し得る。例えば、透明パネル部によって、表示機能、およびタッチセンサ機能を実現すると共に、撮像部によって指紋認証のための撮像機能を実現し得る。
【０１００】
（１）
複数の透明発光素子が配置された透明パネル部と、
前記透明パネル部の一部の領域の下に配置され、前記透明パネル部における前記一部の領域に接触または近接した物体を前記透明パネル部を介して撮像する撮像部と
を備える
電子デバイス。
（２）
前記撮像部は、
撮像素子と、
複数のマイクロレンズが配置され、前記複数のマイクロレンズのそれぞれによって前記物体からの光を前記撮像素子に向けて集光するマイクロレンズアレイと
を有する
上記（１）に記載の電子デバイス。
（３）
前記撮像部は、
前記複数のマイクロレンズのそれぞれに対応する複数の導光路を含み、前記複数のマイクロレンズのそれぞれによって集光された光を前記複数の導光路のそれぞれによって前記撮像素子に導く導光板、をさらに有する
上記（２）に記載の電子デバイス。
（４）
前記透明パネル部は、前記複数の透明発光素子間を隔てる格子状の構造物を有し、
前記複数のマイクロレンズは、前記物体側から見て前記格子状の構造物に重ならないように配置されている
上記（２）または（３）に記載の電子デバイス。
（５）
前記複数のマイクロレンズは、配置ピッチが、前記複数の透明発光素子の配置ピッチと同一となるように配置され、
前記透明パネル部は、前記撮像部による撮像を行う際に、前記一部の領域に配置された前記複数の透明発光素子のうち、前記物体側から見て、少なくとも撮像に用いられるマイクロレンズが配置された位置とは異なる位置に配置された透明発光素子を発光させる
上記（２）ないし（４）のいずれか１つに記載の電子デバイス。
（６）
前記複数のマイクロレンズは、配置ピッチが、前記複数の透明発光素子の配置ピッチに対して２以上の整数倍となるように配置されている
上記（２）ないし（４）のいずれか１つに記載の電子デバイス。
（７）
前記透明パネル部は、前記撮像部による撮像を行う際に、前記複数の透明発光素子のうち、前記物体側から見て、前記複数のマイクロレンズが配置された領域よりも外側の領域に配置され、前記複数のマイクロレンズのうち少なくとも撮像に用いられるマイクロレンズとは異なる位置にある透明発光素子を発光させる
上記（２）ないし（４）のいずれか１つに記載の電子デバイス。
（８）
前記透明パネル部における前記一部の領域よりも外側に配置され、前記撮像部による撮像を行う際に照明光を発する照明光源、をさらに備えた
上記（１）ないし（４）のいずれか１つに記載の電子デバイス。
（９）
前記物体は、生体の一部であり、
前記撮像部によって撮像することによって得られた前記生体の一部の撮像画像に基づいて、前記生体の一部の生体認証を行う認証処理部、
をさらに備える
上記（１）ないし（８）のいずれか１つに記載の電子デバイス。
（１０）
前記生体の一部は指であり、
前記認証処理部は、前記生体認証として指紋認証を行う
上記（９）に記載の電子デバイス。
（１１）
前記透明パネル部は、
前記複数の透明発光素子のそれぞれに接続された発光素子用の複数の配線と、前記発光素子用の複数の配線とは別に設けられたタッチ検出用の複数の配線とのうち、少なくとも前記発光素子用の複数の配線を含み、
前記複数の透明発光素子の発光によって画像を表示する表示機能と、
前記発光素子用の複数の配線間の静電容量の値、または前記タッチ検出用の複数の配線間の静電容量の値に基づくタッチセンサ機能と
を有する
上記（１）ないし（１０）のいずれか１つに記載の電子デバイス。
（１２）
前記透明パネル部におけるタッチの状態を判定する判定部、をさらに備え、
前記透明パネル部は、
前記発光素子用の複数の配線、または前記タッチ検出用の複数の配線として、
それぞれが第１の方向に延在すると共に前記第１の方向に交差する第２の方向に配列され、それぞれが前記第１の方向において前記複数の透明発光素子に接続された複数の第１の配線と、
それぞれが前記第２の方向に延在すると共に前記第１の方向に配列され、それぞれが前記第２の方向において前記複数の透明発光素子に接続された複数の第２の配線と
を有し、
前記判定部は、
前記複数の第１の配線のうちの少なくとも１つの配線と前記複数の第２の配線のうちの少なくとも１つの配線との間の静電容量の値に基づいて、前記透明パネル部におけるタッチの状態を判定する
上記（１１）に記載の電子デバイス。
（１３）
前記判定部は、少なくとも１つの判定閾値に基づいて、前記透明パネル部におけるタッチの状態を判定する
上記（１２）に記載の電子デバイス。
（１４）
前記静電容量の値と、前記撮像部によって撮像された前記物体の撮像画像とに基づいて、前記少なくとも１つの判定閾値を算出する判定閾値演算部、をさらに備える
上記（１３）に記載の電子デバイス。
（１５）
前記判定部は、前記タッチの状態として、少なくとも、タッチの有無とタッチの強度とを判定し、
前記判定閾値演算部は、前記少なくとも１つの判定閾値として、少なくとも、前記タッチの有無の判定に用いられる第１の判定閾値と、前記タッチの強度の判定に用いられる第２の判定閾値とを算出する
上記（１４）に記載の電子デバイス。
（１６）
前記透明パネル部は、
前記複数の透明発光素子のそれぞれに接続された発光素子用の複数の配線と、前記発光素子用の複数の配線とは別に設けられたタッチ検出用の複数の配線とのうち、少なくとも前記発光素子用の複数の配線を含み、
前記複数の透明発光素子の発光によって画像を表示する表示機能と、
前記発光素子用の複数の配線間の静電容量の値、または前記タッチ検出用の複数の配線間の静電容量の値に基づくタッチセンサ機能と
を有し、
前記認証処理部の認証結果に基づいて、前記透明パネル部におけるタッチ検出の制御パラメータを制御する制御部、をさらに備える
上記（９）または（１０）に記載の電子デバイス。
（１７）
前記制御部は、前記認証処理部による生体認証の対象となる複数のユーザと、前記複数のユーザのそれぞれによる前記透明パネル部におけるタッチの操作速度の統計量とを関連付けた操作速度に関するデータベースに基づいて、前記認証処理部によって認証されたユーザのタッチの操作速度の統計量を取得し、取得した前記タッチの操作速度の統計量に基づいて、前記制御パラメータとして、前記認証されたユーザに最適化されたタッチ検出の動作間隔を算出する
上記（１６）に記載の電子デバイス。
（１８）
前記操作速度に関するデータベースを記憶する記憶部、をさらに備える
上記（１７）に記載の電子デバイス。
（１９）
前記透明パネル部における前記一部の領域とは異なる領域の下に配置された意匠材、をさらに備える
上記（１）ないし（１９）のいずれか１つに記載の電子デバイス。
（２０）
前記透明発光素子は、透明有機ＥＬ素子または量子ドット発光素子である
上記（１）ないし（１９）のいずれか１つに記載の電子デバイス。
【０１０１】
本出願は、日本国特許庁において２０１８年２月２７日に出願された日本特許出願番号第２０１８−０３３７７６号を基礎として優先権を主張するものであり、この出願のすべての内容を参照によって本出願に援用する。
【０１０２】
当業者であれば、設計上の要件や他の要因に応じて、種々の修正、コンビネーション、サブコンビネーション、および変更を想到し得るが、それらは添付の請求の範囲やその均等物の範囲に含まれるものであることが理解される。
【図１】
2019167425.tif 000003
【図２】
2019167425.tif 000004
【図３】
2019167425.tif 000005
【図４】
2019167425.tif 000006
【図５】
2019167425.tif 000007
【図６】
2019167425.tif 000008
【図７】
2019167425.tif 000009
【図８】
2019167425.tif 000010
【図９】
2019167425.tif 000011
【図１０】
2019167425.tif 000012
【図１１】
2019167425.tif 000013
【図１２】
2019167425.tif 000014
【図１３】
2019167425.tif 000015
【図１４】
2019167425.tif 000016
【図１５】
2019167425.tif 000017
【図１６】
2019167425.tif 000018
【図１７】
2019167425.tif 000019
【図１８】
2019167425.tif 000020
【図１９】
2019167425.tif 000021
【図２０】
2019167425.tif 000022
【図２１】
2019167425.tif 000023
【図２２】
2019167425.tif 000024
【図２３】
2019167425.tif 000025
【図２４】
2019167425.tif 000026
【図２５】
2019167425.tif 000027
【国際調査報告】
2019167425.tif 000028
2019167425.tif 000029
2019167425.tif 000030
2019167425.tif 000031